(57)【要約】      （修正有）【課題】軽量かつ制作が容易であることに加えて、押圧部または係止突起に直接作用する押圧力に対してもロック解除を防止することの出来るロック機構付きバックルを提供する。【解決手段】バンド外表面に形成した鋸歯状の係合溝にバックル１４の係合爪を係合させ該係止状態においてバンドはバックル１４に接近自在であるが後退不能とした合成樹脂製のバックルであって、該バックル１４は、対向する底板１１と天井枠１２および両者を接続する両側板とからなる。内部をバンドの挿通空間としたバックル本体１４と、前記天井枠１２の内側に水平設置され、一端部下面に前記バンドの係合溝に係合可能な係合爪を有し、他端部を前記係合を解除するための押圧部２２とする操作板とから構成されている。前記底板側１１から受ける棚部が前記天井枠１２に形成されてなり、該棚部と前記回動片の一端部との係合状態において前記押圧部２２の揺動が規制される。【選択図】図１
2011239808.tif 000002
【特許請求の範囲】
【請求項１】
バンド外表面に形成した鋸歯状の係合溝にバックルの係合爪を係合させ該係止状態においてバンドはバックルに接近自在であるが後退不能とした合成樹脂製のバックルであって、
該バックルは、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有し、他端部を前記係合を解除するための押圧部とする操作板とから構成され、該操作板を前記係合爪と前記押圧部の中間点にて前記両側板又は前記天井枠を結ぶ連結軸で支承することにより該中間点を支点として揺動自在としたバックルにおいて、
一方向の長さがこれと直交する方向の長さよりも長い回動片が前記押圧部上に９０度回動自在に設置され、かつ、該回動片の長手方向の少なくとも一端部を前記底板側から受ける棚部が前記天井枠に形成されてなり、該棚部と前記回動片の一端部との係合状態において前記押圧部の揺動が規制されることを特徴とするバックル。
【請求項２】
前記回動片上に掛止突起を有する押ボタンを一体として有する請求項１記載のバックル。
【請求項３】
前記回動片の長手方向両端部を前記底板側から受ける棚部が対向する天井枠に形成されてなる請求項１または２記載のバックル。
【請求項４】
前記係合爪と前記係合溝の係止状態において前記合成樹脂の復元力による係止に加えて、係合爪を係合溝に圧接させてバンドの後退をロックする機構を備えた請求項１〜３のいずれかに記載のバックル。
【請求項５】
前記棚部が傾斜面として形成されてなり、前記回動片の回動時に該回動片の長手方向一端部が前記傾斜面に沿って底板側から天井枠方向に移動する請求項４記載のロック機構を備えたバックル。
【請求項６】
前記回動片の長手方向一端部が前記棚部と係合した時に、該一端部は該棚部が形成された天井枠と突合わせ状態となる請求項１〜５のいずれかに記載のバックル。
【発明の詳細な説明】
【技術分野】
【０００１】
この発明は、係合溝を有するバンドまたはベルトを係止するためのバックルに関し、特に、運動靴、競技用靴、スノーボード用靴、プロテクター係止ベルトなど、比較的強い締結力を必要とする製品のための合成樹脂製バックルに関するものである。
【背景技術】
【０００２】
従来、バンド（またはベルト）に係合溝を設け、この溝にバックルのフックを弾性的に係合し、随時、この係止状態を解放可能とするバックルが知られている。
本発明者らは、特許第３９８２９５５号公報（特許文献１）において、製作が容易で、軽量な合成樹脂製バックルとして、対向する底板と天井枠および両者を接続する両側板とからなり、内部が係合溝を有するバンドの挿通空間とされたバックル本体と、前記天井枠の内側に水平設置され、一端部下面に前記バンドの係合溝に係合可能な係合爪を有し、他端部上面を押圧部とする操作板とから構成され、該操作板を前記係合爪と前記押圧部の中間点にて、対向する天井枠の二辺に各々連結することにより、該中間点を支点として揺動自在とした合成樹脂製バックルであって、前記バンドの外表面と前記天井枠に、前記バックル本体に該バンドを片手の指先で引き寄せることのできる一対の掛止突起を設けた合成樹脂製バックルを提案している。
【０００３】
前記合成樹脂製バックルは機能的に非常に優れ、ヘルメットのヘッドバンド用バックルとしては最適であるが、前記操作板の係合・解除における操作性を良くする為に操作板を支承する連結軸を細くすると、これを運動靴等の比較的強い締結力を必要とする製品に適用した場合、バンドとバックルの係止時においてバンドにバックルから引き離す方向に強い力が作用して、合成樹脂製の連結軸が破損する虞があった。
【０００４】
また、本発明者らは、特許第４００５１０９号公報（特許文献２）において、特に服飾品等の用途として好適なバンドとバックルからなるスライドアジャスタとして、軽量でシンプルな構成であって、バックル部の目立たない外観を有するスライドアジャスタとして、バンド外表面に形成した鋸歯状の係合溝にバックルの係合爪を係合させ該係止状態においてバンドはバックルに接近自在であるが後退不能としたバンドとバックルのスライドアジャスタにおいて、前記バックルを、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有し、他端部を前記係合を解除するための押圧部とする操作板とから構成すると共に、該操作板を前記係合爪と前記押圧部の中間点にて前記両側板を結ぶ連結軸で支承することにより該中間点を支点として揺動自在とし、前記バンドの外表面と前記押圧部に、前記バックルとバンドとを片手の指先で引き寄せることのできる一対の掛止突起を設けてなり、かつ、前記連結軸から掛止突起に至る操作板に対して、該掛止突起以外の部分に垂直方向の押圧力が直接作用するのを規制する部材がバックル本体に設けられたものを提案している。
【０００５】
このスライドアジャスタには規制部材が設けられているので、不用意なまたは突発的なロック解除の虞はないものの、前記押圧部または掛止突起に直接作用する押圧力に対しては、ロック解除を防止することはできない。
【先行技術文献】
【特許文献】
【０００６】
【特許文献１】特許第３９８２９５５号公報
【特許文献２】特許第４００５１０９号公報
【発明の概要】
【発明が解決しようとする課題】
【０００７】
本発明は、軽量かつ製作が容易であることに加えて、前記押圧部または掛止突起に直接作用する押圧力に対してもロック解除を防止することのできるロック機構付きバックルを提供することを目的とするものである。
また、本発明は、バンドとバックルの係止時においてバンドをバックルから分離する方向に強い力が作用しても、操作板を支承する連結軸を破損することのない合成樹脂製のバックルを提供することを目的とするものである。
【課題を解決するための手段】
【０００８】
本発明は、バンド外表面に形成した鋸歯状の係合溝にバックルの係合爪を係合させ該係止状態においてバンドはバックルに接近自在であるが後退不能とした合成樹脂製のバックルであって、該バックルは、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有し、他端部を前記係合を解除するための押圧部とする操作板とから構成され、該操作板を前記係合爪と前記押圧部の中間点にて前記両側板又は前記天井枠を結ぶ連結軸で支承することにより該中間点を支点として揺動自在としたバックルにおいて、一方向の長さがこれと直交する方向の長さよりも長い回動片が前記押圧部上に９０度回動自在に設置され、かつ、該回動片の長手方向の少なくとも一端部を前記底板側から受ける棚部が前記天井枠に形成されてなり、該棚部と前記回動片の一端部との係合状態において前記押圧部の揺動が規制されることを特徴とする。
【０００９】
前記バックルは、前記回動片上に掛止突起を有する押ボタンを一体として有することが好ましい。
前記回動片の長手方向両端部を前記底板側から受ける棚部が、対向する天井枠に形成されてなることが好ましい。
【００１０】
前記係合爪と前記係合溝の係止状態において前記合成樹脂の復元力による係止に加えて、係合爪を係合溝に圧接させてバンドの後退をロックする機構を備えたことが好ましい。
前記棚部が傾斜面として形成されてなり、前記回動片の回動時に該回動片の長手方向一端部が前記傾斜面に沿って底板側から天井枠方向に移動することが好ましい。
前記回動片の長手方向一端部が前記棚部と係合した時に、該一端部は該棚部が形成された天井枠と突合わせ状態となることが好ましい。
【発明の効果】
【００１１】
本発明のバックルは、構成する部品点数が少なく、合成樹脂で製造されるので、軽量であり、製造コストも廉価である。また、前記押圧部または掛止突起に直接作用する押圧力に対してもロック解除を防止することができる。
更に、バンドとバックルの係止時においてバンドにバックルから引き離す方向に強い力が作用しても、合成樹脂製の連結軸を破損する虞がない。従って、このバックルは運動靴等の比較的強い締結力を必要とする製品への適用が最適である。
【図面の簡単な説明】
【００１２】
【図１】バックル１０の斜視図である。
【図２】バックル１０とバンド３０の係合状態を示す平面図および長手方向縦断側面図である。
【図３】バックルの他の実施形態の斜視図とその動作を示す縦断側面図である。
【図４】バックルのさらに別の実施形態の斜視図とその動作を示す縦断側面図である。
【符号の説明】
【００１３】
１０  バックル
１１  底板
１２  天井枠
１３  側板
１４  バックル本体
１６  挿通空間
２０  操作板
２０Ａ  操作板の一端部
２０Ｂ  操作板の他端部
２１  係合爪
２２  押圧部
２５  連結軸
３０  バンド
３１  係合溝
４０  押ボタン
５０  回動片
５５  回動片５０の端部
５５Ａ  端部５５の端面
６０  棚部
６２  傾斜面
【発明を実施するための形態】
【００１４】
以下、本発明に係るロック機構付きバックルの実施形態を、図面に基づいて説明する。
図１はバックル１０の斜視図であり、図１（２）および（３）にはバックル１０を構成する押ボタン４０と回動片５０がバックル本体１４から上方に分離して図示されているが、図１（１）にはバックル本体１４のみが図示されている。
【００１５】
図１において、バックル１０は、底板１１、これに対向する天井枠１２、および底板１１と天井枠１２とを接続する側板１３、１３とからなる偏平かつ筒状のバックル本体１４により主体が構成される。バックル本体１４はバンドのスライド方向が挿通口１５、１５として開口され、その内部は後述する係合溝を有するバンド３０の挿通空間１６となる。
本実施形態では、底板１１の長手方向（バンドのスライド方向）の長さを天井枠１２の長手方向の長さよりも長くすることにより、バンド３０の挿通がスムーズに行われるようにしている。
【００１６】
天井枠１２の内側には、その内に納まる大きさであってバンド３０のスライド方向に長い形状の操作板２０が水平に設置される。操作板２０の一端部２０Ａの下面には、バンド３０の係合溝に係合可能な係合爪２１（後記図２を参照。）を突設し、他端部２０Ｂの上面は押圧部２２とされている。操作板２０を天井枠１２より若干低位置とすることにより、天井枠１２と係合する回動片５０を押圧部２２上に設置し易くすることができる。
【００１７】
操作板２０の長手方向の中間部には、連結軸２５が形成され、この連結軸２５は対向する天井枠１２の二辺に各々連結されている。
連結軸２５は操作板２０を揺動自在に軸支すると共に、滑らかな操作性を確保する為に可及的に細くすることが望まれるが、反復的な揺動により破損しない形状、大きさとすれば良い。なお、連結軸２５は天井枠１２に限らず、各側板１３、１３の上部内壁に支承されていても、後述する作用と同じ作用を発揮することができる。
【００１８】
図１（２）および（３）に示した押ボタン４０はバックル１０に必ずしも設ける必要はないが、これを設けることによりバックル１０とバンド３０の係合解除動作を容易とすることができる。本実施形態において押ボタン４０は略円形の形状としたが、必ずしも円形でなくともよい。
押ボタン４０の表面には、掛止突起４２が上方に突出して設けられ、かつ、滑り止めの為の凹凸４３（後記図２を参照。）が周縁に形成されている。
【００１９】
押ボタン４０の底面略中央には回動片５０が固着され、回動片５０は押ボタン４０と一体として、回動軸４５（後記図２を参照。）により軸支されている。
本実施形態において回動片５０は、バンド３０の挿通方向の長さがこれと直交する方向の長さよりも長い偏平片であり、回動軸４５により押圧部２２上に９０度回動自在に設けられている。９０度の回動が担保されれば回動片５０の形状には特別の制限はないが、押圧部２２と概略同じ形状とすることがバックル１０を小型化する上で好ましい。
【００２０】
回動片５０の一対の対角線上の隅角部には、これと対応する位置の押圧部２２上に突設したストッパー２８、２８に当接して回動片５０を正確に９０度回動させることのできる切欠き５２、５２が形成されている。
一方、天井枠１２には、回動片５０の長手方向の端部５５、５５を底板１１側から受ける棚部６０、６０が水平に形成されている。棚部６０、６０は回動片５０を底板１１側から支持することのできる大きさであれば良い。
【００２１】
続いて、上記バックル１０の作用について図２を参照しながら説明する。
図２（１）はバックル１０とバンド３０の係合状態を示す平面図であり、図２（２）は長手方向縦断側面図である。
図２（１）、（２）には、前述した係合爪２１、滑り止めの為の凹凸４３および回動軸４５が示されている。なお、先に説明した部材については同一の符号を付してその説明を省略する（以下の説明でも同じ。）。
【００２２】
図２（１）、（２）において、バックル１０の挿通空間１６内にバンド３０が挿入され、バンド３０の外表面に形成された係合溝３１に、バックル１０の係合爪２１が係合している。係合溝３１はスライド方向の断面形状が鋸歯状、即ち、バンド３０の進行方向に向けて漸次深くなるテーパ面と、この最深位置より略垂直に立上る壁面とからなっている。
符号３５はバンド３０の外表面に設けた掛止突起であり、押ボタン４０の表面に設けられた掛止突起４２との双方に指先を掛けることにより、バンド３０をバックル１０に片手で引き寄せることが可能になる。
【００２３】
バンド３０を押ボタン４０側（図２において左側）の挿通口１５から挿通空間１６内に進入させていくと、バンド３０の上面が操作板２０の係合爪２１に接触して、操作板２０の一端部２０Ａを押し上げながら前進し、バックル１０に対するバンド３０の接近・離隔位置が調節される。
この状態では、図２（２）に示すように、係合爪２１が所定の係合溝３１と噛み合って係止しているので、バンド３０はバックル１０に対して進出自在であるが、後退不能である。
【００２４】
次に、バックル１０からバンド３０を後退させたり、引き抜いたりするには、操作板２０の押ボタン４０を軽く指で押し下げれば、図２（３）に示すように、連結軸２５を中心として操作板２０が回転する結果、反対側に位置する係合爪２１が持ち上がり、係合爪２１が係合溝３１から外れるので、バンド３０を自由にスライドさせることができる。押ボタン４０から指を離せば、操作板２０は合成樹脂の弾性により元の水平状態に復帰する。
【００２５】
次に、本発明のロック機構について説明する。
前記の通り図２（２）はバンド３０の係合溝３１とバックル１０の係合爪２１との係止状態を示しているが、このとき回動片５０は図１（２）に示すように天井枠１２の棚部６０とは係合状態になく、押ボタン４０のロックは解除された状態にある。
ここで、図１（３）に示すように回動片５０を手動にて９０度回動させれば、回動片５０の長手方向の両端部５５、５５が棚部６０、６０と係合して、底板１１側から支持されることになり、この状態では押ボタン４０は押されても動かない。この結果、押圧部２２の揺動が規制されることになる。図２（４）はこの押ボタン４０のロック状態を示している。
【００２６】
ロック機構の別の実施形態について図３を参照しながら説明する。
この実施形態は係合爪２１と係合溝３１の係止状態において前記合成樹脂の復元力による係止に加えて、係合爪２１を係合溝３に押圧させてバンド３０の後退を強くロックするものである。
図３（１）はバックル本体１４の斜視図であり、棚部６０、６０を回動片５０の長手方向両端部５５、５５が９０度の回動位置に至るまで漸次上昇するような傾斜面６２、６２として形成されている。
【００２７】
図３（２）は、押ボタン４０と回動片５０をバックル本体１４から分離して図示した斜視図であり、図３（３）は図２（２）と同じくバックル１０とバンド３０の係止状態、即ち、係合爪２１と係合溝３１の係止状態を示す要部縦断側面図である。
この状態から、図３（４）に示すように回動片５０を回動させて押ボタン４０をロックすれば、回動片５０の長手方向両端部５５、５５が傾斜面６２、６２に沿って底板１１側から天井枠１２方向に移動し、操作板２０の押圧部２２が水平位置より上方に持ち上げられる結果、操作板２０の一端部２０Ａに位置する係合爪２１が押し下げられてバンド３０の係合溝３１と強く噛み合う。図３（５）はこの強固なロック状態を示す要部縦断側面図である。
【００２８】
続いて、本発明の別の実施形態について図４を参照しながら説明する。
図４（１）は押ボタン４０と回動片５０をバックル本体１４から分離して図示した斜視図である。この実施形態では、これまで説明してきた実施形態が回動片５０の長手方向両端部５５、５５を棚部６０、６０で受けているのに対して、バンド３０が進入する挿通口１５側の天井枠１２に形成した棚部６０のみで回動片５０の長手方向一端部５５を受ける点が異なっている。
回動片５０の形状は前記実施形態と同様に押圧部２２と同形状とするが、片持ちとなるので肉厚のブロック形状として強度を持たせている。また、これに伴い、回動片５０の底面に切欠き５６を設けて、バックル本体１４が大型化するのを防止している。
【００２９】
図４（２）は、バックル１０とバンド３０の係止状態、即ち、係合爪２１と係合溝３１の係止状態を示す要部縦断側面図である。
この状態から、図４（３）に示すように回動片５０を回動させて押ボタン４０をロックすれば、回動片５０の長手方向一端部５５が傾斜面６２に沿って底板１１側から天井枠１２方向に移動し、操作板２０の押圧部２２が水平位置より上方に持ち上げられる結果、操作板２０の一端部２０Ａに位置する係合爪２１が押し下げられてバンド３０の係合溝３１と強く噛み合う。図４（４）はこの強固なロック状態を示す要部縦断側面図である。
【００３０】
この実施形態では、回動片５０の長手方向一端部５５が棚部６０と係合した時に、一端部５５の端面５５Ａは棚部６０が形成された天井枠１２の垂直面と接触して突合わせ状態となるような長さとなっており、バンド３０をバックル１０から分離する強い力に対して連結軸２５の破損を防止する機能を備えている。以下、この作用を説明する。
【００３１】
バンド３０とバックル１０の係合状態において、バンド３０をバックル１０から分離する方向に強い力が作用すると、係合爪２１は係合溝３１と噛み合っているので操作板２０の係合爪２１が図４（４）において左方向に引っ張られ、操作板２０も左方向に移動するが、操作板２０と一体となった回動片５０の長手方向一端部５５が、棚部６０の形成された天井枠１２の垂直面に当接する結果、回動片５０と一体の操作板２０の移動は停止する。
【００３２】
回動片５０の長手方向一端部５５と天井枠１２とは、押ボタン４０のロック時に必ずしも接触しなくても良く、バンド３０をバックル１０から分離する方向に強い力が作用した時に突合わせ状態となるような隙間が形成されていれば、同様の効果を得ることができる。
即ち、この隙間の距離は、操作板２０に左方向（操作板２０の一端部２０Ａから他端部２０Ｂへの方向）の力が加わった時の破損に至る連結軸２５の可動距離より短く設定される。連結軸２５の太さと形状および次述する合成樹脂の種類によっても異なるが、通常１ｍｍ以下となる。
【００３３】
バックル１０は、可撓性を有する合成樹脂により成型することができ、特に、操作板２０を連結軸２５の周囲に揺動させる必要から、ポリアセタール、ポリオキシメチレン、ポリアミド、ポリカーボネート、ナイロンなどの弾性を有する合成樹脂により成型することが好ましい。本発明のバックル１０は、僅かな部品により構成され、かつ、簡易な構造の故に、金型で容易に一体成型することができる。
【００３４】
本発明において天井枠１２は、図４に示す実施形態では、操作板２０の他端部２０Ｂと対向する一辺を備えることが必須であるが、必ずしも四辺を備えたものに限られない。操作板２０の一端部２０Ａと対向する一辺については、バックルを軽量化、小型化する場合には、これを省略することができる。
【００３５】
本発明のバックル１０には、前記した特許文献１および特許文献２に開示した要素を取り入れることができる。例えば、連結軸２５の代わりに操作板２０の上縁部と天井枠１２の上部とを連結する連結片（図示せず。）を用いても良い。
また、操作板２０を水平状態に復元し易くするために操作板２０の一端部２０Ａと対向する天井枠１２等とを連結した連結部材（図示せず。）を設けても良い。更に、挿通空間１６にはバンド３０の浮き上がりを防止するためのバンド押え（図示せず。）を設けることも可能である。
【図１】
2011239808.tif 000003
【図２】
2011239808.tif 000004
【図３】
2011239808.tif 000005
【図４】
2011239808.tif 000006